(57)【要約】【課題】外観の華やかさ・多様性を向上させることのできる、花束の保持具を提供する。【解決手段】花束の保持具１は、花卉の茎部が挿入される複数の挿入孔１０ａ、・・・が軸線方向に間隔を空けて設けられた正面シート１０と、花卉の茎部の側面を覆う第１カバーシート１１であって、正面シート１０の第１側縁に一体に接続される、第１カバーシート１１と、花卉の茎部の側面を覆う第２カバーシート１２であって、正面シート１０の第２側縁に一体に接続される、第２カバーシート１２と、を備えている。【選択図】図１
0003225133.tif 000002
【実用新案登録請求の範囲】
【請求項１】
花卉の茎部が挿入される複数の挿入孔が長さ方向に沿って間隔を空けて設けられる、自在に折り曲げ可能な正面シートと、
花卉の茎部の側面を覆う第１カバーシートであって、前記正面シートの第１側縁に一体に接続される、自在に折り曲げ可能な第１カバーシートと、
花卉の茎部の側面を覆う第２カバーシートであって、前記正面シートの第２側縁に一体に接続される、自在に折り曲げ可能な第２カバーシートと、
を備える、花束の保持具。
【請求項２】
前記正面シート、前記第１カバーシート、又は、前記第２カバーシートの少なくともいずれか１つに、前記正面シートの軸線方向に沿って配置される形状保持部材がさらに設置されている、請求項１に記載された、花束の保持具。
【請求項３】
前記第１カバーシート、又は、前記第２カバーシートの少なくともいずれか１つには、装飾部材を取り付けるための取付孔が設けられている、請求項１又は請求項２に記載された、花束の保持具。
【請求項４】
花卉の茎部が挿入される複数の挿入孔が軸線方向に沿って間隔を空けて設けられる、円柱部と、
前記円柱部の軸線方向に沿って配置される形状保持部材と、
を備える、花束の保持具。
【請求項５】
複数の請求項４に記載された前記花束の保持具の前記挿入孔を連通するように、花卉の茎部が挿入されて構成される、花束の保持具システム。
【考案の詳細な説明】
【技術分野】
【０００１】
本考案は、花束を製作する際に使用する花束の保持具に関するものである。
【背景技術】
【０００２】
従来から、花束を製作する際には、種々の課題があることが知られている。例えば、特許文献１には、防水シール材を備える花束保水袋が開示されており、保水材の漏れを防止するようにされている。
【０００３】
また、花束を製作する際には、複数の花卉を適当な位置（バインディングポイントと呼ばれる）において手で束ねて、麻紐等の紐によって縛ることで製作する手法が一般的に実施されている。
【先行技術文献】
【特許文献】
【０００４】
【特許文献１】特開２００６−６９号公報
【考案の概要】
【考案が解決しようとする課題】
【０００５】
しかしながら、従来の手法は、手で複数の花卉を束ねつつ紐で縛る作業に熟練を要するうえ、完成した花束についても花卉の数や位置などの調整はできるものの、外観の華やかさ・多様性には限界があった。
【０００６】
そこで、本考案は、外観の華やかさ・多様性を向上させることのできる、花束の保持具を提供することを目的としている。
【課題を解決するための手段】
【０００７】
前記目的を達成するために、本考案の花束の保持具は、花卉の茎部が挿入される複数の挿入孔が軸線方向に間隔を空けて設けられた正面シートと、花卉の茎部の側面を覆う第１カバーシートであって、前記正面シートの第１側縁に一体に接続される、第１カバーシートと、花卉の茎部の側面を覆う第２カバーシートであって、前記正面シートの第２側縁に一体に接続される、第２カバーシートと、を備えている。
【０００８】
また、別の形態の花束の保持具は、花卉の茎部が挿入される複数の挿入孔が軸線方向に沿って間隔を空けて設けられる、円柱部と、前記円柱部の軸線方向に沿って配置される形状保持部材と、を備えている。
【考案の効果】
【０００９】
このように、本考案の花束の保持具は、花卉の茎部が挿入される複数の挿入孔が軸線方向に間隔を空けて設けられた正面シートと、花卉の茎部の側面を覆う第１カバーシートであって、正面シートの第１側縁に一体に接続される、第１カバーシートと、花卉の茎部の側面を覆う第２カバーシートであって、正面シートの第２側縁に一体に接続される、第２カバーシートと、を備えている。このような構成であるから、素人でも花束の外観の華やかさ・多様性を向上させることができる。
【００１０】
また、別の形態の花束の保持具は、花卉の茎部が挿入される複数の挿入孔が軸線方向に沿って間隔を空けて設けられる、円柱部と、円柱部の軸線方向に沿って配置される形状保持部材と、を備えている。このような構成であるから、このような構成であるから、素人でも花束の外観の華やかさ・多様性を向上させることができる。
【図面の簡単な説明】
【００１１】
【図１】実施例１の花束の保持具の斜視図である。
【図２】実施例１の花束の保持具の使用状態を説明する斜視図である。
【図３】実施例２の花束の保持具の斜視図である。
【図４】実施例２の花束の保持具の使用状態を説明する斜視図である。
【図５】保水構造の斜視図である。
【考案を実施するための形態】
【００１２】
以下、本考案の実施の形態について図面を参照して説明する。以下では、実施例１においてシート状の花束の保持具（１）について説明し、実施例２において紐状の花束の保持具（１Ａ）について説明する。
【実施例１】
【００１３】
（構成）
まず、図１、図２を用いて本実施例のシート状の花束の保持具１の構成を説明する。本実施例の花束の保持具１は、図１に示すように、花卉の茎部が挿入される複数の挿入孔１０ａ、・・・が軸線方向に間隔を空けて設けられた正面シート１０と、花卉の茎部の側面を覆う第１カバーシート１１であって、正面シート１０の第１側縁に一体に接続される、第１カバーシート１１と、花卉の茎部の側面を覆う第２カバーシート１２であって、正面シート１０の第２側縁に一体に接続される、第２カバーシート１２と、を備えている。
【００１４】
すなわち、花束の保持具１は、例えば、シリコンゴムを含むシリコン樹脂やポリプロピレンを含む合成樹脂によって、全体としてシート状に形成されるものであり、２つの折線によって、中央の正面シート１０と、第１カバーシート１１と、第２カバーシート１２と、に区分けされている。
【００１５】
正面シート１０は、花卉の正面と略平行となる面であり、長さ方向に沿って略等間隔に複数の挿入孔１０ａ、・・・が設けられている。この挿入孔１０ａ、・・・の間隔や孔径は、花の大きさや茎の太さに合わせて複数の種類を用意することができる。あるいは、挿入孔１０ａ、・・・の間隔は、花の大きさと比べて狭くして多数配置したうえで、好みに応じて適切な挿入孔１０ａを選択するように構成することもできる。
【００１６】
さらに、正面シート１０には、花卉が配置された花束の保持具１全体の形状を一定の形状に保持するために、形状保持部材としての小径の金属線（針金など）２０が、その長さ方向に沿って配置されている。すなわち、複数の挿入孔１０ａ、・・・の配置方向に沿うように、金属線２０が配置されている。すなわち、金属線２０が配置されることで、複数の花々を自在の形状・位置に配置し、その形状・位置の状態で花束全体を長時間保持できるようにされている。
【００１７】
第１カバーシート１１は、花卉の茎部分や葉部分の片面を覆うように構成されるものであり、正面シート１０の一方の側縁に連続するように、正面シート１０と一体に構成されている。第１カバーシート１１は、所定の形状の花束を形成した状態では、花束の内側面となり、人目に触れない部分である。
【００１８】
同様に第２カバーシート１２は、花卉の茎部分や葉部分の片面を覆うように構成されるものであり、正面シート１０の（第１カバーシート１１とは反対側の）他方の側縁に連続するように、正面シート１０と一体に構成されている。第１カバーシート１１は、所定の形状の花束を形成した状態では、花束の外側面となり、人目に触れる部分である。
【００１９】
そして、ここでは、花束を形成した状態で外側面となる第２カバーシート１２に、様々な装飾部材を取り付けるための複数の取付孔１２ａ、・・・が設けられている。すなわち、第２カバーシート１２の正面シート１０から遠い側の端縁の近傍に、略等間隔で複数の取付孔１２ａ、・・・が形成されている。この取付孔には、例えば、イミテーションの宝石類や、リボン等の装飾部材が取り付けられる。
【００２０】
（作用・効果）
次に、本実施例の花束の保持具１の奏する作用・効果について説明する。
【００２１】
（１）上述してきたように、本実施例の花束の保持具１は、花卉の茎部が挿入される複数の挿入孔１０ａ、・・・が軸線方向に間隔を空けて設けられた正面シート１０と、花卉の茎部の側面を覆う第１カバーシート１１であって、正面シート１０の第１側縁に一体に接続される、第１カバーシート１１と、花卉の茎部の側面を覆う第２カバーシート１２であって、正面シート１０の第２側縁に一体に接続される、第２カバーシート１２と、を備えている。このような構成であるから、図２（ａ）、（ｂ）に示すように、素人でも花束の外観の華やかさ・多様性を向上させることができる。
【００２２】
（２）また、正面シート１０、第１カバーシート１１、又は、第２カバーシート１２の少なくともいずれか１つに、正面シート１０の軸線方向に沿って配置される形状保持部材としての金属線２０がさらに設置されていることで、花束の形状を自由に構成・保持できるようになるため、意匠性の優れた花束をきわめて容易に作成することができる。
【００２３】
（３）さらに、第１カバーシート１１、又は、第２カバーシート１２の少なくともいずれか１つには、装飾部材を取り付けるための取付孔（１２ａ）が設けられているため、他の装飾部材を取り付けることでいっそう華やかな花束とすることができる。
【００２４】
この他、本実施例の花束の保持具１であれば、同一形状や異なる形状を重ねるように花束を構成することも可能である。例えば、図２（ｂ）に示すように、外側の星形状と内側のハート形状とで二重の形状を構成すること等も好ましい。そして、図２（ａ）、（ｂ）に示すように、花束の全体を箱に収納することも可能である。この場合、花束の保持具１があれば、全体形状を保持しつつ、箱内に収納することが可能となる。
【実施例２】
【００２５】
以下、図３、４を用いて、実施例１とは別の形態である紐状の花束の保持具３について説明する。なお、前記実施の形態で説明した内容と同一乃至均等な部分の説明については同一符号を付して説明する。
【００２６】
まず構成について説明すると、本実施例の花束の保持具３は、図３に示すように、花卉Ｆの茎部が挿入される複数の挿入孔３０ａ、・・・が軸線方向に沿って間隔を空けて（略等間隔に）設けられて、シリコン樹脂や合成樹脂によって形成される、長尺の円柱部（あるいは紐状部分）３０と、この円柱部３０の軸線方向に沿って配置される形状保持部材としての金属線４０と、を備えている。
【００２７】
さらに、本実施例の花束の保持具１Ａは、全体として長尺の円柱状（紐状）に形成されているため、全体を円筒形の芯部材に巻きつけておくことが可能であり、ハサミ等によって所望の長さに切って使うことができる。
【００２８】
次に作用について説明すると、本実施例の花束の保持具３は、図４に示すように、複数の花束の保持具３を重ねて使用することを前提としている。すなわち、複数の花束の保持具３、・・・の挿入孔３０ａ、・・・に共通して、１つの花卉Ｆの茎部が挿入されて花束が構成されるようになっている。
【００２９】
このため、花束の保持具３として、様々な色彩のものを使用するようにすれば、複数の花束の保持具３、・・・によって従来とは全く異なる外観の花束を構成することができるようになっている。例えば、７色の花束の保持具３、・・・を使用することで、全体としてレインボーカラー（虹色）の側面を持つ花束を構成することもできる。
【００３０】
なお、この他の構成および作用効果については、前記実施の形態と略同様であるため説明を省略する。
【００３１】
以上、図面を参照して、本考案の実施例を詳述してきたが、具体的な構成は、この実施例に限らず、本考案の要旨を逸脱しない程度の設計的変更は、本考案に含まれる。
【００３２】
例えば、実施例１、２の花束の保持具１、３にさらに加えて、図５に示すような保水構造５０を備えることも好ましい。この保水構造５０は、シール部５１ａを有する保水袋５１と、保水袋５１内に配置される保水剤５２と、保水袋５１を外側から冷却する冷却剤５３、５３と、を備えている。そして、この保水構造５０は、その全体が装飾性のある飾り紙６０によって覆われることが好ましい。
【００３３】
このように構成することによって、保水剤５２から水分が供給されることで、花を長時間咲いた状態のままで維持することができる。さらに、花束を手で持った場合でも、冷却剤５３で冷やすことによって、手の熱で花Ｆが早くしおれることを防止することができる。
【符号の説明】
【００３４】
１          花束の保持具（実施例１）
１０        正面シート
１０ａ      挿入孔
１１        第１カバーシート
１２        第２カバーシート
２０        金属線（形状保持部材）
３          花束の保持具（実施例２）
３０        円柱部
３０ａ      挿入孔
４０        金属線（形状保持部材）
５０        保水構造
５１        保水袋
５２        保水剤
５３        冷却剤
６０        飾り紙
【図１】
0003225133.tif 000003
【図２】
0003225133.tif 000004
【図３】
0003225133.tif 000005
【図４】
0003225133.tif 000006
【図５】
0003225133.tif 000007